(57)【要約】【課題】フィルタの目詰まり発生までの時間を延ばすようにしてフィルタのろ過性能を長く維持する。【解決手段】エアー流入口２とエアー流出口３との間のエアー流路４に設けられるフィルタ装置１であって、エアー流入口２及びエアー流出口３に通じる連通路６を有するフィルタ本体５と、この連通路６を遮断するように装着され、通気性を有し且つエアーが流入する流入面７ａ及びエアーが流出する流出面７ｂを具備するフィルタ部材７と、このフィルタ部材７が連通路６から離脱されずに前記流入面７ａと前記流出面７ｂとが入れ替わるように当該フィルタ部材７に対するエアーの通気方向を切り替える切替機構８とを備える。【選択図】図１
2007310100.tif 000002
【特許請求の範囲】
【請求項１】
エアー流入口とエアー流出口との間のエアー流路に設けられるフィルタ装置であって、
エアー流入口及びエアー流出口に通じる連通路を有するフィルタ本体と、
この連通路を遮断するように装着され、通気性を有し且つエアーが流入する流入面及びエアーが流出する流出面を具備するフィルタ部材と、
このフィルタ部材が連通路から離脱されずに前記流入面と前記流出面とが入れ替わるように当該フィルタ部材に対するエアーの通気方向を切り替える切替機構とを備えることを特徴とするフィルタ装置。
【請求項２】
請求項１記載のフィルタ装置において、
切替機構は、連通路内のエアーの通気方向を切り替えるものであることを特徴とするフィルタ装置。
【請求項３】
請求項２記載のフィルタ装置において、
切替機構は、複数のシャッタの開閉によってなされるものであることを特徴とするフィルタ装置。
【請求項４】
請求項３記載のフィルタ装置において、
前記複数のシャッタは、一つの揺動部材の揺動動作に連動して開閉されるものであることを特徴とするフィルタ装置。
【請求項５】
請求項１記載のフィルタ装置において、
切替機構は、フィルタ部材を移動させて当該フィルタ部材へのエアーの通気方向を切り替えるものであることを特徴とするフィルタ装置。
【請求項６】
請求項５記載のフィルタ装置において、
フィルタ部材の移動は、当該フィルタ部材のエアーの通気方向と交差する面に沿って回転させて行うものであることを特徴とするフィルタ装置。
【請求項７】
請求項５記載のフィルタ装置において、
フィルタ部材の流入面若しくは流出面の少なくともいずれかに接触して設けられ、フィルタ部材の移動に伴って前記流入面及び流出面が清掃可能な清掃部材を備えることを特徴とするフィルタ装置。
【請求項８】
請求項１記載のフィルタ装置において、
更に、フィルタ部材のろ過性能を検知する検知部を備え、
切替機構は、この検知部からの情報に基づいて切り替え動作を行うものであることを特徴とするフィルタ装置。
【請求項９】
請求項１記載のフィルタ装置において、
切替機構による切り替え動作中は、エアー流路でのエアーの流れを停止することを特徴とするフィルタ装置。
【請求項１０】
記録材上に画像が形成可能な画像形成部と、
画像形成部から若しくは画像形成部へのエアー流路に設けられる請求項１〜９のいずれかに記載のフィルタ装置とを備えることを特徴とする画像形成装置。
【発明の詳細な説明】
【技術分野】
【０００１】
本発明は、複写機やプリンタ等の画像形成装置に用いられるフィルタ装置及びこれを用いた画像形成装置の改良に関する。
【背景技術】
【０００２】
一般に、電子写真方式等の画像形成装置では、オゾンフィルタ、臭気フィルタ、粉塵フィルタ、ＶＯＣ（Volatile Organic Compounds）フィルタ等、各種のフィルタが適宜設置されている。このようなフィルタは、目詰まりを起こすと本来のフィルタ性能を果たせなくなるどころか、装置での二次障害をもたらすようにもなる。
そのため、目詰まりを防ぐ工夫やフィルタの交換を促す工夫によって、フィルタの性能を維持しようとする提案が各種なされている（例えば特許文献１〜３参照）。
【０００３】
特許文献１には、フィルタの直前に紙粉を溜める部分を設け、フィルタへの紙粉の付着をできるだけ抑えようとする方式が記されている。
また、特許文献２には、ファンへの積算通電時間を基にフィルタのメンテナンス間隔を決定する方式が記されている。更に、特許文献３には、オゾンフィルタの能力把握のためにフィルタの前後に測定器を設け、オゾンを発生したときにこの測定器による測定結果からフィルタの寿命を判定するようにした方式が記されている。
【０００４】
【特許文献１】特開２０００−１４７９６３号公報（発明の実施の形態、図４）
【特許文献２】特開２００３−２９５７１１号公報（発明の実施の形態、図２）
【特許文献３】特開２００４−３０１９７８号公報（発明の実施の形態、図１）
【発明の開示】
【発明が解決しようとする課題】
【０００５】
しかしながら、特許文献１の方式にあっては、フィルタへの紙粉の付着はある程度防げるものの、フィルタに紙粉等の異物が一旦付着して目詰まりが開始されると、そのまま目詰まりが進み、フィルタのろ過性能を長く維持しながら使用することはできない。
また、特許文献２，３の方式にあっては、異物等の目詰まりによるフィルタの交換時期を把握できる点ではフィルタのろ過性能を常時維持する効果はあるものの、フィルタの異物等の目詰まりを抑えるようにしたものではなく、ろ過性能を長く維持しながら使用することはできない。
【０００６】
本発明は、このような技術的課題を解決するためのものであり、フィルタの目詰まり発生までの時間を延ばすようにしてフィルタのろ過性能を長く維持することが可能なフィルタ装置及びこれを用いた画像形成装置を提供するものである。
【課題を解決するための手段】
【０００７】
すなわち、本発明は、図１（ａ）（ｂ）に示すように、エアー流入口２とエアー流出口３との間のエアー流路４に設けられるフィルタ装置１であって、エアー流入口２及びエアー流出口３に通じる連通路６を有するフィルタ本体５と、この連通路６を遮断するように装着され、通気性を有し且つエアーが流入する流入面７ａ及びエアーが流出する流出面７ｂを具備するフィルタ部材７と、このフィルタ部材７が連通路６から離脱されずに前記流入面７ａと前記流出面７ｂとが入れ替わるように当該フィルタ部材７に対するエアーの通気方向を切り替える切替機構８とを備えることを特徴とするものである。尚、ここで図１（ａ）（ｂ）は本発明のフィルタ部材７への通気方向が切り替わった状態を示す模式図であり、（ｂ）に示すように、切り替わった後のフィルタ部材７は、前記流入面７ａが流出面７ｂ’に、かつ、前記流出面７ｂが流入面７ａ’に入れ替わったことを表わしたものであるが、本発明はこの図に示される態様に限られないことは勿論である。
【０００８】
このような技術的手段において、フィルタ部材７としては特に限定されず、各種用途のフィルタが適用できる。また、その構造も、例えばハニカム構造、フォーム構造等各種の構造が適用できる。更に、フィルタ部材７としては、流入面７ａと流出面７ｂとを備えていれば形状等は特に限定されず、例えばフィルタ部材７の二面で流入面７ａと流出面７ｂを構成するようにしてもよいし、フィルタ部材７の一面側に流入面７ａと流出面７ｂとを設けるようにしてもよい。また、フィルタ部材７を分割構成とするようにしてもよい。
【０００９】
また、本発明の切替機構８としては、フィルタ部材７へのエアーの通気方向を切り替えて流入面７ａと流出面７ｂとが入れ替わるようになっていればよく、切り替え自体は手動で行うようにしてもよいし、自動的に行うようにしてもよい。
更に、切替機構８としては、装置構成を簡略化する観点から、連通路６内のエアーの通気方向を切り替えるものであることが好ましい。これによれば、フィルタ部材７をそのままの状態にして流入面７ａと流出面７ｂとを切り替えることができるようになる。そして、このような切替機構８の代表的態様としては、複数のシャッタの開閉によってなされるものが挙げられる。更に、このような複数のシャッタを、一つの揺動部材の揺動動作に連動して開閉させるようにすれば、シャッタの開閉機構が一層簡略化されるようになる。
【００１０】
更にまた、切替機構８としては、フィルタ部材７を移動させて当該フィルタ部材７へのエアーの通気方向を切り替えるようにすることも好ましく、流入面７ａと流出面７ｂとの切り替えが容易になされるようになる。この場合、フィルタ部材７としては、一体構成のものでもよいし、複数のフィルタを組み合わせたもの、例えば移動方向に異なる機能を有するものであっても差し支えない。特に、フィルタ部材７の移動に際し、当該フィルタ部材７のエアーの通気方向と交差する面に沿って回転させて行うようにすれば、フィルタ部材７の移動に要するスペースを小さくすることも可能になる。尚、より小さなスペースとする観点から、交差する面としてはエアーの通気方向に直交する面が好ましい。
更に、フィルタ部材７が移動する態様においては、フィルタ部材７の流入面７ａ若しくは流出面７ｂの少なくともいずれかに接触して設けられ、フィルタ部材７の移動に伴って前記流入面７ａ及び流出面７ｂが清掃可能な清掃部材を備えることが好ましく、このような清掃部材を備えることで、フィルタ部材７の移動に伴ってフィルタ部材７自体の清掃がなされるようになり、フィルタ部材７のろ過性能を維持することができるようになる。尚、清掃部材としては、その形状や材質は特に限定されず、例えばブラシ状、ワイヤ状、へら状、櫛歯状、波形状等の形状や、ナイロン、ウレタン等の樹脂や金属等が挙げられる。
【００１１】
また、本発明では、更に、フィルタ部材７のろ過性能を検知する検知部を備え、切替機構８は、この検知部からの情報に基づいて切り替え動作を行うようにすることが好ましく、検知部によってろ過性能の情報を検知することで、一層適切にフィルタ部材７のろ過性能を安定して維持することができるようになる。尚、検知部としてはフィルタ部材７のろ過性能を検知するものであればよく、例えばエアー流路４にファンが適用された場合にはファンの稼働時間を検知したり、フィルタ部材７の前後のエアー流路４の圧力を検知する等で行うようにしてもよい。
更に、本発明では、切替機構８による切り替え動作中は、エアー流路４でのエアーの流れを停止することが好ましく、これによれば、常にフィルタ部材７でのろ過を適切に作用させることができるようになる。
【００１２】
そして、本発明は、上述したフィルタ装置１に限られるものではなく、これらのフィルタ装置１を用いた画像形成装置をも対象とし、この場合、図１（ｃ）に示すように、記録材上に画像が形成可能な画像形成部９と、画像形成部９から若しくは画像形成部９へのエアー流路４に設けられる上述のフィルタ装置１とを備えるようにすればよい。
【発明の効果】
【００１３】
本発明によれば、エアー流入口とエアー流出口との間のエアー流路に設けられるフィルタ装置として、エアー流入口及びエアー流出口に通じる連通路を有するフィルタ本体と、  この連通路を遮断するように装着され、通気性を有し且つエアーが流入する流入面及びエアーが流出する流出面を具備するフィルタ部材と、このフィルタ部材が連通路から離脱されずに前記流入面と前記流出面とが入れ替わるように当該フィルタ部材に対するエアーの通気方向を切り替える切替機構とを備えるようにしたので、フィルタ部材へ一旦付着した異物が脱落し易くなり、フィルタ部材のろ過性能を長期に亘って維持できるようになる。
また、このようなフィルタ装置を用いることで、長期に亘ってフィルタ部材のろ過性能を安定して維持することが可能な画像形成装置を提供することができるようになる。
【発明を実施するための最良の形態】
【００１４】
以下、添付図面に示す実施の形態に基づいてこの発明を詳細に説明する。
◎実施の形態１
図２は、本発明が適用された実施の形態１に係る画像形成装置の概略を示す。本実施の形態における画像形成装置は、装置本体１０の内部に画像形成部を有し、画像形成部の下方に給紙カセット２１〜２４を設け、更に、装置本体１０の上部には、原稿の画像を読み取るための原稿読取装置１０ａを設けたものとなっている。
【００１５】
画像形成部は、矢印方向に回転し表面に有機光導電層等の感光層を有する感光体１１を配設し、この感光体１１の周囲には、感光体１１を均一に帯電するコロトロン等の帯電器１２、帯電された感光体１１表面に静電潜像を形成するＬＥＤアレー等の露光器１３、感光体１１上の静電潜像をトナーにて可視像化する現像器１４、感光体１１上のトナー像を給紙カセット２１〜２４から供給される記録材としての用紙上に転写するコロトロン等の転写器１５、転写が行われた後の感光体１１に残留するトナーや紙粉を清掃するクリーナ１６が設けられている。
【００１６】
一方、夫々の給紙カセット２１〜２４の下流側近傍には、給紙カセット２１〜２４から用紙を供給するための給紙ロールユニット２５が設けられ、下流側の用紙搬送路に向かって１枚の用紙を供給するようになっている。そして、用紙搬送路には、用紙を搬送するための搬送ロール２６が適宜配設されており、これらの搬送ロール２６によって用紙は更に下流側へ搬送される。そして、搬送された用紙は、レジストロール２７にて位置決め規制がなされた後所定のタイミングで転写器１５側に搬送され、感光体１１上のトナー像が用紙に転写される。
トナー像が転写された用紙は、循環移動する吸引搬送ベルト２８に吸引されて搬送され、定着器３０にて定着された後、排出ロール２９から装置本体１０の外方に設けられた排出トレイ１７上に排出されるようになる。
【００１７】
そして、特に、本実施の形態の画像形成装置では、各種のダクトＡ〜Ｄが設けられている。ダクトＡは、主として帯電器１２で発生するオゾンを吸引するために帯電器１２の感光体１１とは反対側で帯電器１２に沿って設けられている。また、ダクトＢは、主として転写器１５で発生するオゾンを吸引するために、転写器１５の感光体１１とは反対側で転写器１５に沿って設けられている。更に、ダクトＣは、吸引搬送ベルト２８を動作させるためのエアー吸引を行うように、吸引搬送ベルト２８に接するように設けられている。更にまた、ダクトＤは、定着後の用紙を冷却したり結露を防止するためのエアー吸引を行うために、定着器３０と排出ロール２９との間に開口を設けて、定着器３０の上方に延びるように設けられている。
特に、ダクトＤは、定着器３０によって暖められた用紙を自然冷却させた場合に用紙にカールが生じ易くなることから、この用紙のカールを防ぐ目的で、定着器３０と排出ロール２９との間の気流を上方に向かわせ、定着後の用紙を強制的に冷却しようとしたものとなっている。また、定着器３０によって暖められた用紙からは含水していた水分が水蒸気として発生して、画質や用紙の搬送性能を悪化させる虞もあり、これを防ぐためにもダクトＤが機能している。更に、ダクトＤの下方で排出ロール２９の近傍の装置本体１０には、ダクトＤへ外気を取り入れるための外気取入口３１を設け、定着器３０からの熱を他の熱に弱い部品に影響しないように、熱的な遮蔽を行うようにもなっている。
【００１８】
本実施の形態では、これらのダクトＡ〜Ｄは、いずれも図の手前側から奥側に向かってエアーの流れが形成されるようになっている。
また、ダクトＡ〜Ｃは、図３に示すように、ダクトの一端側が奥側で繋がった構成となっている。同図において、ダクトＡ、ダクトＢ及びダクトＣの一端側（図の右側）は、共通のダクトボックス４０に繋がっており、このダクトボックス４０には後述するフィルタ装置やファンが取り付けられ、ファンによってダクトＡ〜Ｃを経由して吸引されたエアーがフィルタ装置を経由して装置本体１０から外部に排出されるようになっている。
【００１９】
また、フィルタ装置のフィルタ部材としては、帯電器１２からダクトＡを経由したエアーや転写器１５からダクトＢを経由したエアーがオゾンを含んでいるため、例えばオゾンフィルタ（オゾン除去機能を有するフィルタ）が適用されている。尚、吸引搬送ベルト２８は、その吸引口２８ａから吸引されたエアーがダクトＣを経由してフィルタ装置に導かれる。
【００２０】
また、本実施の形態では、定着器３０近傍のダクトＤにも同様のフィルタ装置が取り付けられている。図４（ａ）（ｂ）はダクトＤの様子を示すもので、（ａ）は装置本体１０を含んで示したものであり、（ｂ）は装置本体１０を取り除いて用紙が排出ロール２９によって排出されている状態を示したものである。
同図において、排出ロール２９の上部にある外気取入口３１や排出ロール２９の間などから吸引されたエアーは、ダクトＤを経由してダクトボックス４０’に繋がっており、このダクトボックス４０’にも上述したダクトボックス４０と同様のフィルタ装置が設けられている。尚、このダクトボックス４０’に取り付けられたフィルタ装置のフィルタ部材としては、例えばトナーの溶融による溶剤臭を除去するために、ＶＯＣフィルタ（ＶＯＣ除去機能を有するフィルタ）が適用されている。
【００２１】
このようなダクトボックス４０，４０’に取り付けられるフィルタ装置５０は、図５（ａ）（ｂ）のようになっている。
本実施の形態におけるフィルタ装置５０は、一部にファン４１が設けられた一つのエアー流路４２の一部にフィルタ装置５０のフィルタ本体が設けられており、外壁５１によって形成された空間内部に略コの字状の内壁５２を設け、この内壁５２内部に連通路としてのエアー流路４２を確保するための分離壁５３を設けたものとなっている。また、内壁５２と分離壁５３との間には、２個のフィルタ５４，５５（本例ではオゾンフィルタ）が取り付けられている。更に、フィルタ装置５０のエアー流路４２の入口側には、外壁５１と分離壁５３との間で移動可能なシャッタ５６が設けられ、外壁５１と内壁５２との間にも２個の移動可能なシャッタ５７，５８が設けられている。そのため、これらのシャッタ５６〜５８と図示外のシャッタ移動機構とで、本実施の形態での切替機構が構成されている。
【００２２】
以上のような構成において、本実施の形態におけるフィルタ装置５０を中心にその作動を説明する。
本実施の形態のフィルタ装置５０が、先ず、図５（ａ）に示すような構成となっているとすると、このとき、３個のシャッタ５６〜５８は夫々図のような開閉位置になっているため、エアー流路４２でのエアーの流れは、先ずフィルタ５５を通過した後にフィルタ５４を通過するようになる。そして、２個のフィルタ５５，５４を通過したエアーは、ファン４１を経由して装置本体１０外へ排出されるようになる。
その後、所定のタイミングで、切替機構による切替動作が行われ、シャッタ５６〜５８のシャッタ位置が図５（ａ）から図５（ｂ）に変化すると、エアー流路４２でのエアーの流れは、先にフィルタ５４を通過した後にフィルタ５５を通過し、ファン４１から排気されるようになる。尚、ファン４１の位置はこれに限らず、例えばエアー流路４２の上流側に設けるようにしてもよいし、ファン４１の代わりにブロアのような装置を用いるようにしても差し支えない。
【００２３】
このとき、一つのフィルタ（例えばフィルタ５５）に着目してそのろ過性能を見ると、図６（ａ）〜（ｄ）に示すようになる。例えば（ａ）のようにフィルタ５５に対する矢印方向の通気方向でエアーが流れているとすると、フィルタ５５には流入面５５ａから流出面５５ｂに向かってエアーが流れるようになり、フィルタ５５での十分なろ過性能が維持された状態でフィルタ機能が発揮されている。その後、（ｂ）に示すように、例えば紙粉や埃等の異物がフィルタ５５の流入面５５ａ側に付着するようになり、この状態を継続すると、これらの異物は徐々にフィルタ５５の内部に移動するようにもなり、フィルタ５５に固定され易くなる。また、このような異物付着によってフィルタ５５のろ過性能は徐々に低下する。
そのため、切替機構によって、フィルタ５５に対する通気方向を（ｃ）のように切り替えると、今まで流入面５５ａだった部位が流出面５５ｂに変化するようになり、流入面５５ａのときに表面に付着した異物はエアーの流れが代わることでフィルタ５５から取れ易くなり、フィルタ５５のろ過性能は維持されるようになる。尚、このとき、今まで流出面５５ｂであった部位が流入面５５ａに変化するようになる。その後、（ｄ）のように、新たな流入面５５ａにも異物の付着がなされるようになり、その場合、通気方向をもう一度変化させるようにすれば、フィルタ５５のろ過性能を維持することができるようになる。
【００２４】
このように、フィルタ５５に対する通気方向を適宜切り替えることで、特に、フィルタ５５表面に付着した異物を除去し易くなり、フィルタ５５のろ過性能を長期に亘って維持することができるようになる。
特に、ダクトＡ〜Ｃのダクトボックス４０に取り付けられたフィルタ装置５０では、フィルタ５４，５５としてオゾンフィルタが使用されるが、オゾンフィルタに付着したオゾンは通気方向を切り替えてもフィルタから除去されることは殆どないが、このようなオゾンフィルタに紙粉や埃等の異物が付着すると、フィルタへのエアー流入量を損なうようになり、フィルタのろ過性能自体が低下するようになる。そのため、通気方向を切り替えることで、異物を除去するようにすれば、エアー流入量を維持することができ、オゾンの除去性能を安定に保つことができるようになる。尚、例えばフィルタ５５から除去された異物は、ファン４１（図５参照）によって装置本体１０外へ排出される可能性があるが、特に形成される画像を損なう虞はない。
また、上述したことは、ダクトボックス４０’でも同様になされる。
【００２５】
本実施の形態では、２個のフィルタ５４，５５を用いる構成を示したが、１個のフィルタを用いて、分割使用するようにしてもよい。
また、図７（ａ）に示すように、１個のフィルタ５５を用い、フィルタ５５を通るエアー流路としてフィルタ５５の内部のみを通るエアー流路を併用するようにしてもよいし、（ｂ）に示すように、フィルタ５５の内部のみを通るエアー流路で構成するようにしてもよい。但し、このような構成は、フィルタ５５自体の構造にも起因し、例えばハニカム構造を採ったようなフィルタでは実現できないこともある。
【００２６】
更に、本実施の形態では、図５（ａ）（ｂ）に示すように、切替機構によるシャッタ５６〜５８の切り替えを適宜行うようにしたが、例えばファン４１の稼働時間を計測して、所定の時間が経過したときに切り替え動作を行うようにしてもよいし、また、エアー流路４２中に圧力センサを設け、この圧力センサによって圧力が所定の値に達したときに切り替え動作を行うようにしてもよい。このように、切り替えタイミングを検知するようにすれば、更にフィルタのろ過性能を十分確保した状態で切り替えがなされるようになる。
【００２７】
◎実施の形態２
図８（ａ）（ｂ）は、本発明が適用された実施の形態２に係るフィルタ装置５０の概要を示す。本実施の形態のフィルタ装置５０は、実施の形態１のフィルタ装置５０と略同様に構成されるが、３個のシャッタが一つの揺動軸６１にセットされている点が実施の形態１と異なる。尚、実施の形態１と同様の構成要素には同様の符号を付し、その詳細な説明は省略する。
【００２８】
同図において、本実施の形態のフィルタ装置５０は、エアー流路４２を開閉するシャッタ５６〜５８が、分離壁５３の一部に設けられた一つの揺動軸６１から３方に延びる支持棒６２〜６４に固定されており、揺動軸６１の揺動動作によってシャッタ５６〜５８の開閉動作がなされるようになっている。そのため、夫々のシャッタの長さやエアー流路４２の開口部幅が所定の値になっている。
このような構成においても、揺動軸６１を所定の角度だけ揺動させることで、シャッタ５６〜５８の所定の開閉動作が行われ、フィルタ５５，５４へのエアーの流入面と流出面とを切り替えることができるようになる。そのため、本実施の形態においても、実施の形態１と同様の効果を奏する。
【００２９】
◎実施の形態３
図９（ａ）（ｂ）は、本発明が適用された実施の形態３に係るフィルタ装置５０の概要を示す。本実施の形態のフィルタ装置５０は、フィルタ装置５０内のエアー流路４２が同一平面内に設けられたものとはなっていない点が実施の形態１と異なる。尚、実施の形態１と同様の構成要素には同様の符号を付し、その詳細な説明は省略する。
【００３０】
同図において、本実施の形態のフィルタ装置５０は、エアー流路４２を開閉する２個のシャッタ７２，７３が揺動軸７１の揺動動作によって開閉されるようになっているが、シャッタ７２は揺動軸７１に対し略平行な面で構成される一方、シャッタ７３は揺動軸７１に対し略直交する面で構成されている。また、シャッタ７２はフィルタ装置５０外のエアー流路４２からフィルタ装置５０内への入口側に設けられ、一方、シャッタ７３はフィルタ装置５０の出口側に設けられている。
そのため、シャッタ７２は、揺動軸７１に支持されて揺動軸７１の揺動動作と共に開閉動作を行うようになっている一方、シャッタ７３は、開口窓７０内を摺動するように構成され、この開閉動作は、揺動軸７１に支持された支持棒７４によって行われるようになっている。
【００３１】
図１０（ａ）（ｂ）は、図９（ａ）のシャッタ構成の概略を示す斜視図であり、（ａ）は図９（ａ）を正面方向から見た図、（ｂ）は裏面側から見た図となっている。
シャッタ７２は、揺動軸７１の揺動動作によって移動することでフィルタ装置５０内のエアー流路を切り替えるようになる。また、シャッタ７３は、開口窓７０内を摺動し、分離壁５３によって分けられた開口窓７０の一方側のみが開放されるように切り替わる。そのため、シャッタ７３には、内部に直線状の凹部７３２を備えた突起部７３１が形成されており、この凹部７３２に、揺動軸７１に支持された支持棒７４の先端７４１が挿入され、支持棒７４の揺動動作に合わせて支持棒７４の先端７４１がシャッタ７３に設けられた突起部７３１の凹部７３２内を摺動することで、シャッタ７３が開口窓７０内を摺動できるようになっている。
【００３２】
また、図９（ｂ）は、切替機構として揺動軸７１が揺動してシャッタ７２，７３が切り替わった後の状態を示すものであり、この構成の概要は図１０（ｃ）（ｄ）に示す。
このように、本実施の形態では、２個のシャッタ７２,７３が切り替わることで、フィルタ５４，５５への通気方向が切り替わるようになり、実施の形態１と同様の効果を奏する。
【００３３】
◎実施の形態４
図１１（ａ）（ｂ）は、本発明が適用された実施の形態４に係るフィルタ装置５０の概要を示す。本実施の形態のフィルタ装置５０の切替機構は実施の形態１の切替機構のようにシャッタを切り替えるものではなく、フィルタを移動して切り替えるように構成されている。特に、本実施の形態ではフィルタが回転して切り替わるように構成されている。尚、実施の形態１と同様の構成要素には同様の符号を付し、その詳細な説明は省略する。
【００３４】
同図において、本実施の形態のフィルタ装置５０は、外壁５１、内壁５２、分離壁５３にて固定したエアー流路４２が形成されたものとなっている。そのため、（ａ）に示すように、エアー流路４２からフィルタ装置５０内に繋がるエアーの流れは、フィルタ８１を通過した後、フィルタ８２を通過してファン４１に導かれる。
一方、（ｂ）に示すように、フィルタ８１，８２が切り替わった後は、エアー流路４２は先ずフィルタ８２を通過した後にフィルタ８１を通過してファン４１に至る流路が形成されるようになる。
【００３５】
次に、このようなフィルタ８１，８２を切り替える切替機構について説明する。図１２（ａ）は本実施の形態におけるフィルタ装置５０をエアー流路の側方から見た図であり、（ｂ）はその断面を示す斜視図である。また、図１３は、本実施の形態のフィルタ８１，８２の回転機構を模式的に示したものである。
これらの図において、本実施の形態におけるフィルタ８１，８２は円形状の内環８０内にはめ込まれて装着されたものとなっており、この内環８０の外周には、ギア８０ａが設けられ、このギア８０ａが内壁５２の一部に設けられた外環８７の内周面に沿って摺動できるようになっている。
更に、内環８０のギア８０ａは、外環８７より外側でこのギア８０ａに噛合するギア８３ａを外周に備えた駆動ギア８３が、内環８０のギア８０ａと噛合した状態で設けられている。そして、この駆動ギア８３は回転軸８４によって回転できるようになっている。
そのため、回転軸８４を回転させることで駆動ギア８３が回転し、内環８０が外環８７の内周面に沿って回転することで、２個のフィルタ８１，８２のセット位置が入れ替わるようになる。尚、フィルタ装置５０内のエアー流路に漏れを生じないように、内環８０の一部が内壁５２と摺動するように構成されている。また、フィルタ８１，８２の交換に際しては、外環８７の一部が分割して取り外され、内環８０がフィルタ８１，８２を装着したまま取り出せるようになっていることは云うまでもない。
【００３６】
したがって、本実施の形態においても、フィルタ８１，８２が入れ替わることでフィルタ８１，８２への通気方向を切り替えることができ、実施の形態１と同様の効果を奏する。また、本実施の形態では、フィルタ８１，８２を異なるフィルタとして構成したが、例えば１個のフィルタであっても差し支えない。更に、２個のフィルタ８１，８２が互いに異なる機能を有するフィルタ（例えばオゾンフィルタとＶＯＣフィルタ等）であってもよい。
【００３７】
更に、図１４（ａ）は本実施の形態の変形例を示すものであり、ここでは、フィルタ８５が１個のフィルタで構成されているものを示している。尚、フィルタ８５を回転させる機構は省略している。また、図１４（ｂ）は（ａ）のｂ−ｂ断面図を示したものである。
そして、特に、本例では、フィルタ８５の流出面側に接触する清掃部材８６を設けている。この清掃部材８６は、例えばブラシ状をしており、フィルタ８５の略半径の長さをカバーできる長さとなっている。
このような構成において、フィルタ８５が回転することで、清掃部材８６がフィルタ８５表面を清掃することができ、特に、フィルタ８５が回転する前に流入面となっていた部分からフィルタ８５表面に付着した異物を掻き落とすことができるようになり、これによってフィルタ８５のろ過性能を切り替え当初から維持できるようになる。尚、清掃部材８６の長さや取り付け位置は、フィルタ８５の清掃がより効果的になされるように適宜選定すればよい。
【００３８】
◎実施の形態５
図１５は本発明が適用された実施の形態５に係るフィルタ装置５０の概要を示す。本実施の形態のフィルタ装置５０は、実施の形態４と同様に、フィルタを移動させるようにしたものであるが、フィルタの構成及び移動方式が実施の形態４と異なる。尚、実施の形態４と同様の構成要素には同様の符号を付し、その詳細な説明は省略する。
【００３９】
本実施の形態のフィルタ装置５０は、例えばエンドレスベルト状のフィルタ９１をエアー流路４２中に設けるようにしたものであり、フィルタ９１は二つの張架ロール９２，９３によって回転できるようになっている。
そのため、張架ロール９２，９３を回転させることでフィルタ９１に対する通気方向を切り替えることができるようになり、実施の形態４と同様の効果を奏する。また、フィルタ９１を２個に分割し、夫々のエアー流路毎に回転させるようにしてもよいことは云うまでもない。
【図面の簡単な説明】
【００４０】
【図１】（ａ）（ｂ）は本発明に係るフィルタ装置の概要を示す説明図であり、（ａ）及び（ｂ）はフィルタ部材に対するエアーの通気方向が切り替わった状態を示している。また、（ｃ）は本発明に係る画像形成装置の概要を示す説明図である。
【図２】本発明が適用された実施の形態１の画像形成装置を示す説明図である。
【図３】実施の形態１のエアーダクトを示す斜視図である。
【図４】（ａ）（ｂ）は実施の形態１の他のエアーダクトを示す斜視図である。
【図５】（ａ）（ｂ）は実施の形態１のフィルタ装置を示す説明図である。
【図６】（ａ）〜（ｄ）はフィルタの作用を示す説明図である。
【図７】（ａ）（ｂ）は実施の形態１のフィルタ部材の取り付け方法の変形例を示す説明図である。
【図８】（ａ）（ｂ）は実施の形態２に係るフィルタ装置を示す説明図である。
【図９】（ａ）（ｂ）は実施の形態３に係るフィルタ装置を示す説明図である。
【図１０】（ａ）〜（ｄ）は実施の形態３のフィルタ装置の斜視図である。
【図１１】（ａ）（ｂ）は実施の形態４に係るフィルタ装置を示す説明図である。
【図１２】（ａ）（ｂ）は実施の形態４のフィルタ装置の切替機構を示す説明図である。
【図１３】実施の形態４のフィルタの構成を示す説明図である。
【図１４】（ａ）（ｂ）は実施の形態４の変形例としてのフィルタ装置を示す説明図である。
【図１５】実施の形態５に係るフィルタ装置を示す説明図である。
【符号の説明】
【００４１】
１…フィルタ装置，２…エアー流入口，３…エアー流出口，４…エアー流路，５…フィルタ本体，６…連通路，７…フィルタ部材，７ａ（７ａ’）…流入面，７ｂ（７ｂ’）…流出面，８…切替機構，９…画像形成部
【図１】
2007310100.tif 000003
【図２】
2007310100.tif 000004
【図３】
2007310100.tif 000005
【図４】
2007310100.tif 000006
【図５】
2007310100.tif 000007
【図６】
2007310100.tif 000008
【図７】
2007310100.tif 000009
【図８】
2007310100.tif 000010
【図９】
2007310100.tif 000011
【図１０】
2007310100.tif 000012
【図１１】
2007310100.tif 000013
【図１２】
2007310100.tif 000014
【図１３】
2007310100.tif 000015
【図１４】
2007310100.tif 000016
【図１５】
2007310100.tif 000017